(57)【要約】  第１長素子、該第１長素子と異なる共振周波数を持つ第１短素子、第１長素子に設けられて共振周波数を調整する第１周波数調整素子、及び、給電端をなす第１給電ポートを含む第１アンテナ部と、第２長素子、該第２長素子と異なる共振周波数を持つ第２短素子、第２長素子に設けられて共振周波数を調整する第２周波数調整素子、及び、給電端をなす第２給電ポートを含む第２アンテナ部と、第１アンテナ部と第２アンテナ部との相互のインピーダンスを調整しながら第１アンテナ部と第２アンテナ部とを接続する結合素子と、を備える。
2014125832.tif 000002
【特許請求の範囲】
【請求項１】
複数の周波数帯の電波を送受波するデュアルバンドアンテナ装置であって、
第１長素子、該第１長素子と異なる共振周波数を持つ第１短素子、前記第１長素子に設けられて共振周波数を調整する第１周波数調整素子、及び、給電端をなす第１給電ポートを含む第１アンテナ部と、
第２長素子、該第２長素子と異なる共振周波数を持つ第２短素子、前記第２長素子に設けられて共振周波数を調整する第２周波数調整素子、及び、給電端をなす第２給電ポートを含む第２アンテナ部と、
前記第１アンテナ部と前記第２アンテナ部との相互のインピーダンスを調整しながら前記第１アンテナ部と前記第２アンテナ部とを接続する結合素子と、
を備えることを特徴とするデュアルバンドアンテナ装置。
【請求項２】
請求項１に記載のデュアルバンドアンテナ装置であって、
前記第１アンテナ部、第２アンテナ部が対として複数対が設けられ、１つの前記結合素子がこれら複数対のアンテナ部を接続していることを特徴とするデュアルバンドアンテナ装置。
【請求項３】
請求項１又は２に記載のデュアルバンドアンテナ装置であって、
前記第１アンテナ部及び第２アンテナ部は、グランド板に設置され、かつ、前記第１周波数調整素子及び前記第２周波数調整素子は前記グランド板と電気的に結合するように設けられていることを特徴とするデュアルバンドアンテナ装置。
【請求項４】
請求項１乃至３のいずれか１項に記載のデュアルバンドアンテナ装置であって、
前記第１短素子及び前記第２短素子は、前記第１長素子及び前記第２長素子より前記グランド板から離れた位置に設けられていることを特徴とするデュアルバンドアンテナ装置。
【請求項５】
請求項１乃至４のいずれか１項に記載のデュアルバンドアンテナ装置であって、
前記第１周波数調整素子及び前記第２周波数調整素子は、前記第１長素子及び前記第２長素子の２次共振時において素子先端から１／２波長に相当する位置に設けられていることを特徴とするデュアルバンドアンテナ装置。
【請求項６】
請求項１乃至５のいずれか１項に記載のデュアルバンドアンテナ装置であって、
前記第１アンテナ部及び前記第２アンテナ部は、グランド板のコーナー位置に配置されていることを特徴とするデュアルバンドアンテナ装置。
【請求項７】
請求項１乃至６のいずれか１項に記載のデュアルバンドアンテナ装置であって、
前記第１長素子及び前記第２長素子は、ミアンダ形状に形成されていることを特徴とするデュアルバンドアンテナ装置。
【請求項８】
請求項１乃至７のいずれか１項に記載のデュアルバンドアンテナ装置であって、
前記第１長素子及び前記第２長素子は、前記第１周波数調整素子及び前記第２周波数調整素子の位置で折曲げられていることを特徴とするデュアルバンドアンテナ装置。
【請求項９】
請求項１乃至８のいずれか１項に記載のデュアルバンドアンテナ装置であって、
前記周波数調整素子は、矩形形状、突起形状、リング形状、Ｔ字型形状のいずれか１つの形状で形成されていることを特徴とするデュアルバンドアンテナ装置。
【請求項１０】
請求項１乃至８のいずれか１項に記載のデュアルバンドアンテナ装置であって、
前記周波数調整素子は、インダクタ及びキャパシタにより形成されて、前記キャパシタの一端がグランド板に接続されていることを特徴とすることを特徴とするデュアルバンドアンテナ装置。
【発明の詳細な説明】
【技術分野】
【０００１】
本発明は、複数の周波数帯の電波を送受波するデュアルバンドアンテナ装置に関する。
【背景技術】
【０００２】
近年、ＭＩＭＯ（Ｍｕｌｔｉｐｌｅ−Ｉｎｐｕｔ  Ｍｕｌｔｉｐｌｅ−Ｏｕｔｐｕｔ）システムの普及に伴い、携帯通信端末のような無線通信装置内に同一の共振周波数を持つ複数のアンテナ部を備えるアンテナ装置が実装され始めている。このＭＩＭＯシステムでは、送信側の複数のアンテナからそれぞれ異なる情報ストリームが送信され、受信側の複数のアンテナで受信される空間多重伝送が採用されることで伝送容量の向上が図られる。【０００３】
しかし、実装面積の少ない携帯通信端末内に同一の共振周波数を持つ複数のアンテナ部が近接して配置されると、アンテナ部の間で電磁カップリングが生じ、この結果アンテナ放射効率の低下や相関係数増加に伴う信号劣化が生じる。【０００４】
このための解決策として、例えば特許第４７２３６７３号公報においては、図１４に示すような構成のアンテナが提案されている。このアンテナでは、隣接するアンテナ素子１０１、１０２が連結素子により連結されて、電磁カップリングによるアンテナ部間のアドミタンス成分を打ち消すようになっている。
【先行技術文献】
【特許文献】
【０００５】
【特許文献１】特許第４７２３６７３号公報
【発明の概要】
【発明が解決しようとする課題】
【０００６】
しかしながら、特許第４７２３６７３号公報にかかるアンテナにおいては、連結素子によるアイソレーション効果がアンテナ間の周波数位相特性に敏感であるため、特定の狭い周波数帯域でのみ有効となり、アンテナの周波数帯域幅が狭くなってしまう問題があった。【０００７】
また、連結素子が接続されているアンテナを低姿勢化・小形化することで、アンテナの放射抵抗の減少によりＱ値が増加するため、さらに周波数帯域幅が狭くなってしまう問題があった。【０００８】
そこで、本発明の主目的は、連結素子を用いたアンテナ装置であっても周波数帯域の狭帯域化を抑制したデュアルバンドアンテナ装置を提供することにある。
【課題を解決するための手段】
【０００９】
上記課題を解決するため、複数の周波数帯の電波を送受波するデュアルバンドアンテナ装置は、第１長素子、該第１長素子と異なる共振周波数を持つ第１短素子、第１長素子に設けられて共振周波数を調整する第１周波数調整素子、及び、給電端をなす第１給電ポートを含む第１アンテナ部と、第２長素子、該第２長素子と異なる共振周波数を持つ第２短素子、第２長素子に設けられて共振周波数を調整する第２周波数調整素子、及び、給電端をなす第２給電ポートを含む第２アンテナ部と、第１アンテナ部と第２アンテナ部との相互のインピーダンスを調整しながら第１アンテナ部と第２アンテナ部とを接続する結合素子と、を備えることを特徴とする。
【発明の効果】
【００１０】
本発明によれば、所定の結合素子を用い、かつ、周波数調整素子を用いることで、周波数帯域の狭帯域化が抑制できる。
【図面の簡単な説明】
【００１１】
【図１】本発明の第１実施形態にかかるアンテナ装置の構成図である。
【図２】アンテナ装置のＳパラメータと周波数との関係を示した図である。
【図３】給電ポート間で受信される信号の相関を示す相関係数を表した図である。
【図４】アンテナ装置において第１給電ポートから給電した際の放射効率を示した図である。
【図５】周波数調整素子の高さによるＳパラメータの変化を示す図である。
【図６】複数の第１アンテナ部及び第２アンテナ部を備えるアンテナ装置の斜視図である。
【図７Ａ】突起形状の周波数調整素子の構成を示した図である。
【図７Ｂ】リング形状の周波数調整素子の構成を示した図である。
【図７Ｃ】Ｔ字型形状の周波数調整素子の構成を示した図である。
【図８】周波数調整素子をインダクタとキャパシタとで構成した場合の図である。
【図９】本発明の第２実施形態にかかるアンテナ装置の構成図である。
【図１０】アンテナ装置の周波数に対するＳパラメータを示した図である。
【図１１】アンテナ装置の放射効率を示した図である。
【図１２】本発明の第３実施形態にかかるアンテナ装置の構成図である。
【図１３】アンテナ部を折曲げた構成のアンテナ装置の構成図である。
【図１４】関連技術の説明に適用されるアンテナの構成図である。
【発明を実施するための形態】
【００１２】
＜第１実施形態＞
次に、本発明の第１実施形態を説明する。図１は、第１実施形態にかかるアンテナ装置２Ａの構成図である。アンテナ装置２Ａは、第１アンテナ部１１、第２アンテナ部１２、及び、これらを結合する結合素子１３を基本構成としている。
【００１３】
この第１アンテナ部１１は、第１長素子２１ａ（２１）、第１短素子２２ａ（２２）、第１周波数調整素子２３ａ（２３）、第１給電ポート２４ａ（２４）を含んでいる。また、第２アンテナ部１２は、第２長素子２１ｂ（２１）、第２短素子２２ｂ（２２）、第２周波数調整素子２３ｂ（２３）、第２給電ポート２４ｂ（２４）を含んでいる。このとき、長素子２１（２１ａ，２２ａ）における「長」は、短素子２２（２２ａ，２２ｂ）より長いブランチ構造の素子であることを示している。即ち、長素子２１と短素子２２とは、長さが異なり、長素子２１の方が長く、異なる共振周波数を持つことを示している。
【００１４】
そして、周波数調整素子２３（２３ａ、２３ｂ）は、長素子２１（２１ａ、２１ｂ）に設けられている。また、第１アンテナ部１１と第２アンテナ部１２とは、結合素子１３により連結されると共に、給電ポート２４（２４ａ、２４ｂ）を介してグランド板１６に接続されている。
【００１５】
なお、第１アンテナ部１１と第２アンテナ部１２とは、対称な形状に形成されているので、以下の説明においては、第１アンテナ部１１を例に説明することがある。
【００１６】
図２は、上記構成のアンテナ装置２ＡのＳパラメータと周波数との関係を示した図である。このとき、アンテナ装置２Ａの寸法は、高さｈ＝５．５ｍｍ、幅Ｌ＝４３．６ｍｍ、周波数調整素子２３の高さｗ＝１．４ｍｍに設定し、ＷＬＡＮ（Ｗｉｒｅｌｅｓｓ  Ｌｏｃａｌ  Ａｒｅａ  Ｎｅｔｗｏｒｋ）の周波数帯２．４ＧＨｚと５ＧＨｚとの電波の送受信が行えるように調整されている。
【００１７】
図２において、実線は第１給電ポート２４ａの反射係数を表すＳパラメータＳ１１を示し、点線は第１給電ポート２４ａから第２給電ポート２４ｂへの伝送係数を表すＳパラメータＳ２１を示している。なお、第２給電ポート２４ｂの反射係数を表すＳパラメータＳ２２及び、第２給電ポート２４ｂから第１給電ポート２４ａへの伝送係数を表すＳパラメータＳ１２は、第１アンテナ部１１と第２アンテナ部１２とで構成が対称であるため、Ｓ１１＝Ｓ２２，Ｓ１２＝Ｓ２１となる。
【００１８】
図１のアンテナ装置２Ａは結合素子１３により接続されている。従って、第１給電ポート２４ａ又は第２給電ポート２４ｂから供給された電力が、互いのポートで消費されることが危惧される。しかし、本発明においては、かかる不都合を防止するために、第１アンテナ部１１と第２アンテナ部１２とを結合する結合素子１３のインピーダンスが設定されている。
【００１９】
なお、結合素子１３は、第１アンテナ部１１と第２アンテナ部とを電気的に接続する限りにおいて、種々の構成が可能である。例えば、金属線を折り曲げて構成された結合素子、ミアンダ形状に構成された結合素子が可能であり、さらにはインダクタやキャパシタ、フィルタ、移相器により構成された結合素子でも良い。
【００２０】
このインピーダンスの設定は、以下のように行う。先ず、アンテナ装置２Ａにおいて給電点からアンテナ部１１，１２をみたときのＳ２１の位相が±π／２の位置に結合素子１３を設置する。この状態で結合素子１３の長さを調整する。これらの調整処理においては、結合素子１３やグランド板１６、また空間を介して一方の給電ポートから他方の給電ポートに回り込む電流値が最小になるように、つまりＳ２１が最小となるようにする。これにより結合素子１３のインピーダンスが調整されて、一方の給電ポートから給電された電流が他方の給電ポートに流れ込む不都合が抑制できる。
【００２１】
図２において、共振周波数ｆ２１は、第１給電ポート２４ａから給電した際の、第１長素子２１ａと第２長素子２１ｂとの１次共振周波数が合成された周波数に対応している。このときＳパラメータＳ２１のグラフにおいてはＳパラメータＳ１１のグラフと同様に、共振周波数ｆ２１でＳパラメータが低下している。このことは第１給電ポート２４ａからのインピーダンス整合が適正に設定され、かつ、第１給電ポート２４ａと第２給電ポート２４ｂとはアイソレーションされていることを意味している。第２給電ポート２４ｂから給電した際も同じことが言える。
【００２２】
また、共振周波数ｆ２２は、第１短素子２２ａと第２短素子２２ｂとの１次共振周波数が合成された周波数に対応し、ＳパラメータＳ２１のグラフ及びＳパラメータＳ１１のグラフは、共に低い値を示している。
【００２３】
一方、共振周波数ｆ２３においてもＳパラメータＳ２１のグラフ及びＳパラメータＳ１１のグラフは、低い値を示している。この共振周波数ｆ２３は、第１長素子２１ａと第２長素子２１ｂの２次共振に相当している。
【００２４】
本来、第１長素子２１ａと第２長素子２１ｂとの２次共振周波数ｆ２３は、共振周波数ｆ２１の３倍の周波数である７．５ＧＨｚ付近で発生する筈であるが、第１周波数調整素子２３ａと第２周波数調整素子２３ｂとが接続されているために５．５ＧＨｚ付近まで低下している。このことは、周波数調整素子２３は、第１  長素子２１の線の長さが共振周波数の４分の３波長に相当する長さのときに、第１長素子２１の素子先端から２分の１波長の長さの所に設けることが好ましいことを示している。
【００２５】
これにより共振周波数ｆ２２と共振周波数ｆ２３とが合成されて、アンテナ装置２Ａは、本来の帯域よりも広い範囲で共振するようになる。
【００２６】
図３は、第１給電ポート２４ａと第２給電ポート２４ｂにおいて、それぞれのポートで受信される各信号の相関を示す相関係数を表した図である。
【００２７】
ポート間の相関係数は、下記の式１のようにＳパラメータであらわすことができるため、図２の結果を用いて計算することができる。
2014125832.tif 000003
【００２８】
図３において所望の帯域である２．４ＧＨｚ帯と５ＧＨｚ帯とにおいて、相関係数は０．１以下となり、アンテナ装置２Ａは、ＭＩＭＯ通信品質を劣化させない程度の十分低い値を示すことがわかる。
【００２９】
図４は、図１のアンテナ装置２Ａにおいて第１給電ポート２４ａから給電した際の放射効率を示したグラフである。なお、第２給電ポート２４ｂから給電した場合にも同様の結果が得られる。図４から、アンテナ装置２Ａは、所望の帯域（２．４ＧＨｚ帯と５ＧＨｚ帯の周波数）において５０％以上の十分高い放射効率を示し、アンテナとして十分動作していることが理解できる。
【００３０】
また、図５は、周波数調整素子２３の効果を検証するために、周波数調整素子２３の高さｗを変化させた場合のＳパラメータのグラフである。周波数調整素子２３の高さｗは、ｗ＝１．０、１．２、１．４ｍｍと長くなるに従い、短素子２２の２次共振周波数ｆ５３が徐々に低い周波数側にシフトすることがわかる。
【００３１】
一方、第１長素子２１ａ、第２長素子２１ｂの１次共振周波数ｆ５１と第１短素子２２ａ、第２短素子２２ｂの１次共振周波数ｆ５２の位置は、周波数調整素子２３の高さｗの変化に対し殆ど変化していない。
【００３２】
以上により、周波数調整素子の高さ（寸法）を制御することで、アンテナ装置の共振周波数を自由に変化させることが可能になる。また、結合素子のインピーダンス調整が行われるので、アンテナ装置の帯域幅が狭くなる不都合が抑制できる。
【００３３】
なお、上記説明においては、一対の第１アンテナ部や第２アンテナ部でアンテナ装置を構成する場合について説明したが、本発明は、係る構成に限定するものではない。例えば、図６に示すように、複数対の第１アンテナ部１１と第２アンテナ部１２とを用いてアンテナ装置を構成しても良い。図６においては、４対の第１アンテナ部１１と第２アンテナ部１２を放射状に配置し、これらを１つの結合素子３０で結合した場合を例示している。
【００３４】
また、周波数調整素子２３の構造も図１に示したような矩形板状の構成に限定するものではなく、例えば図７Ａ〜図７Ｃに示すような構成であっても良い。図７Ａは短冊の要素を複数所定間隔で併設した突起形状の周波数調整素子２７（２３）、図７Ｂは内部に打抜きが形成されたリング形状の周波数調整素子２８（２３）は、図７ＣはＴ字型形状の周波数調整素子２９（２３）を示している。
【００３５】
さらに、上述した各周波数調整素子２３は、グランド板１６との容量結合等を行うことにより周波数調整機能を発現するが、周波数調整機能を集中定数素子で実現させても良い。例えば、図８に示すように２つのインダクタ２５とキャパシタ２６とを用いて、長素子２１の間にインダクタ２５を挿入すると共に、長素子２１とグランド板１６とをキャパシタ２６を介して接続することも可能である。
【００３６】
＜第２実施形態＞
次に、本発明の第２実施形態を説明する。なお、第１実施形態と同一構成に関しては同一符号を用いて説明を適宜省略する。
【００３７】
図９は、本実施形態にかかるアンテナ装置２Ｂの構成図である。アンテナ装置２Ｂは、アンテナ装置２Ａと基本構成は同じであるが、第１アンテナ部１１と第２アンテナ部１２とが直交するように設けられ、かつ、グランド板１６のコーナーに配置されている点が相違する。
【００３８】
そして、第１給電ポート２４ａと第２給電ポート２４ｂとは、グランド板１６のコーナー点の近傍位置で接続され、結合素子１３はコーナーに沿って第１アンテナ部１１と第２アンテナ部１２を接続している。
【００３９】
このような第１アンテナ部１１及び第２アンテナ部１２のような逆Ｌ型のアンテナ装置２Ｂは、ダイポールアンテナと同様な電流モードを持つため、アンテナ装置２Ａより放射特性が向上する。無論、グランド基板に対してどのように配置するかは、上記アンテナ特性のみならず、アンテナ装置２Ｂの実装上の都合に応じて選択できることは言うまでもない。
【００４０】
図１０は、アンテナ装置２Ｂの周波数に対するＳパラメータを示した図である。このときのアンテナ装置２Ｂは、高さｈ＝５．５ｍｍ、Ｌ１＝２０．８ｍｍ、Ｌ２＝６．５ｍｍの寸法により形成されている。図１０の特性を図２の特性と比較すると、アンテナ装置２ＢのＳパラメータは、アンテナ装置２Ａと同様の周波数特性を示すが、２．４ＧＨｚ帯でＳパラメータＳ１１とＳパラメータＳ２１とが、アンテナ装置２Ａの値より小さい値を示していることがわかる。
【００４１】
図１１は、アンテナ装置２Ｂの放射効率を示した図である。図４と比べて２．４ＧＨｚ帯での放射効率は、１０％以上改善していることがわかる。
【００４２】
このようにアンテナ装置の実装上の観点及び放射特性の観点から第１アンテナ部と第２アンテナ部との配置構成を選択することが可能になり、設計の自由度が向上する。
【００４３】
＜第３実施形態＞
次に、本発明の第３実施形態を説明する。なお、第１実施形態と同一構成に関しては同一符号を用いて説明を適宜省略する。
【００４４】
本実施形態にかかるアンテナ装置は、これまで説明したアンテナ装置に対し、さらなる小型化を図ったものである。即ち、第２の実施形態においては、アンテナ装置をグランド板のコーナーに配置した。これにより、アンテナ装置は実質的に長手方向の小型化が図られた。これに対し、本実施形態では、アンテナ装置の長素子を蛇行させてミアンダ構造にすることにより小型化を行った。
【００４５】
図１２は、本実施形態にかかるアンテナ装置２Ｃの構成図である。同図に示すように、アンテナ装置２Ｃの第１アンテナ部１１及び第２アンテナ部１２は直交するようにグランド板のコーナーに配置され、かつ、第１長素子２１ａ及び第２長素子２１ｂはミアンダ構造に設けられている。
【００４６】
無論、アンテナ装置の小型化は図１２の構成に限定されるものではない。例えば、図１３に示すように、周波数調整素子２３の位置で折曲げることにより３次元的に配置したアンテナ装置２Ｄにすることも可能である。
【産業上の利用可能性】
【００４７】
本発明はデュアルバンドアンテナ装置を用いる移動体通信向け基地局および端末、無線ＬＡＮ（Ｌｏｃａｌ  Ａｒｅａ  Ｎｅｔｗｏｒｋ）のルータおよび端末等のＭＩＭＯ無線通信機器に適用が可能である。【００４８】
上記実施の形態の一部又は全部は、以下の付記のようにも記載されうるが、以下には限られない。
＜付記１＞
複数の周波数帯の電波を送受波するデュアルバンドアンテナ装置であって、
第１長素子、該第１長素子と異なる共振周波数を持つ第１短素子、前記第１長素子に設けられて共振周波数を調整する第１周波数調整素子、及び、給電端をなす第１給電ポートを含む第１アンテナ部と、
第２長素子、該第２長素子と異なる共振周波数を持つ第２短素子、前記第２長素子に設けられて共振周波数を調整する第２周波数調整素子、及び、給電端をなす第２給電ポートを含む第２アンテナ部と、
前記第１アンテナ部と前記第２アンテナ部との相互のインピーダンスを調整しながら前記第１アンテナ部と前記第２アンテナ部とを接続する結合素子と、
を備えることを特徴とするデュアルバンドアンテナ装置。
＜付記２＞
付記１に記載のデュアルバンドアンテナ装置であって、
前記第１アンテナ部、第２アンテナ部が対として複数対が設けられ、１つの前記結合素子がこれら複数対のアンテナ部を接続していることを特徴とするデュアルバンドアンテナ装置。
＜付記３＞
付記１又は２に記載のデュアルバンドアンテナ装置であって、
前記第１アンテナ部及び第２アンテナ部は、グランド板に設置され、かつ、前記第１周波数調整素子及び前記第２周波数調整素子は前記グランド板と電気的に結合するように設けられていることを特徴とするデュアルバンドアンテナ装置。
＜付記４＞
付記１乃至３のいずれか１項に記載のデュアルバンドアンテナ装置であって、
前記第１短素子及び前記第２短素子は、前記第１長素子及び前記第２長素子より前記グランド板から離れた位置に設けられていることを特徴とするデュアルバンドアンテナ装置。
＜付記５＞
付記１乃至４のいずれか１項に記載のデュアルバンドアンテナ装置であって、
前記第１周波数調整素子及び前記第２周波数調整素子は、前記第１長素子及び前記第２長素子の２次共振時において素子先端から１／２波長に相当する位置に設けられていることを特徴とするデュアルバンドアンテナ装置。
＜付記６＞
付記１乃至５のいずれか１項に記載のデュアルバンドアンテナ装置であって、
前記第１アンテナ部及び前記第２アンテナ部は、グランド板のコーナー位置に配置されていることを特徴とするデュアルバンドアンテナ装置。
＜付記７＞
付記１乃至６のいずれか１項に記載のデュアルバンドアンテナ装置であって、
前記第１長素子及び前記第２長素子は、ミアンダ形状に形成されていることを特徴とするデュアルバンドアンテナ装置。
＜付記８＞
付記１乃至７のいずれか１項に記載のデュアルバンドアンテナ装置であって、
前記第１長素子及び前記第２長素子は、前記第１周波数調整素子及び前記第２周波数調整素子の位置で折曲げられていることを特徴とするデュアルバンドアンテナ装置。
＜付記９＞
付記１乃至８のいずれか１項に記載のデュアルバンドアンテナ装置であって、
前記周波数調整素子は、矩形形状、突起形状、リング形状、Ｔ字型形状のいずれか１つの形状で形成されていることを特徴とするデュアルバンドアンテナ装置。
＜付記１０＞
付記１乃至８のいずれか１項に記載のデュアルバンドアンテナ装置であって、
前記周波数調整素子は、インダクタ及びキャパシタにより形成されて、前記キャパシタの一端がグランド板に接続されていることを特徴とすることを特徴とするデュアルバンドアンテナ装置。
＜付記１１＞
付記１乃至１０のいずれか１項に記載のデュアルバンドアンテナ装置であって、
前記結合素子は、金属線を用いて形成され、かつ、折り曲げられ、又はミアンダ形状に形成されていることを特徴とするデュアルバンドアンテナ装置。
＜付記１２＞
付記１乃至１０のいずれか１項に記載のデュアルバンドアンテナ装置であって、
前記結合素子は、インダクタ、キャパシタ、フィルタ、移相器のいずれか１つを用いて形成されていることを特徴とすることを特徴とするデュアルバンドアンテナ装置。
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。
この出願は、２０１３年２月１８日に出願された日本出願特願２０１３−０２８７４７を基礎とする優先権を主張し、その開示の全てをここに取り込む。
【符号の説明】
【００４９】
２Ａ〜２Ｄ    アンテナ装置
１１    第１アンテナ部
１２    第２アンテナ部
１３、３０    結合素子
１６    グランド板
２１    長素子
２１ａ    第１長素子
２１ｂ    第２長素子
２２    短素子
２２ａ    第１短素子
２２ｂ    第２短素子
２３、２７〜２９    周波数調整素子
２３ａ    第１周波数調整素子
２３ｂ    第２周波数調整素子
２４    給電ポート
２４ａ    第１給電ポート
２４ｂ    第２給電ポート
２５    インダクタ
２６    キャパシタ
【図１】
2014125832.tif 000004
【図２】
2014125832.tif 000005
【図３】
2014125832.tif 000006
【図４】
2014125832.tif 000007
【図５】
2014125832.tif 000008
【図６】
2014125832.tif 000009
【図７Ａ】
2014125832.tif 000010
【図７Ｂ】
2014125832.tif 000011
【図７Ｃ】
2014125832.tif 000012
【図８】
2014125832.tif 000013
【図９】
2014125832.tif 000014
【図１０】
2014125832.tif 000015
【図１１】
2014125832.tif 000016
【図１２】
2014125832.tif 000017
【図１３】
2014125832.tif 000018
【図１４】
2014125832.tif 000019
【国際調査報告】
2014125832.tif 000020
2014125832.tif 000021
2014125832.tif 000022
2014125832.tif 000023